Podtech/llm-jp-corpus-v4-ja_patent huggingface dataset:
(57)【要約】【課題】石油貯蔵ポリタンクから、石油ストーブなどの燃料タンクへ石油を移動させるのに、足踏みエアーポンプを利用して、経済効率的にもすぐれた送油をするため、足踏み式石油ポンプを提供する。【解決手段】石油ポリタンクの蓋に、エアー注入口と石油送出口を有する容器に足踏み式エアーポンプを連結し、タンク内の大気圧を増減することで石油の送出を自在にコントロールすることを特徴とする足踏み式石油ポンプ。【選択図】図１
2012020785.tif 000002
【特許請求の範囲】
【請求項１】
石油貯蔵容器（ポリタンク）の蓋に、空気注入口と石油送出口等を設けたものを一体成型し、それに連動させたレバーハンドルには、９０度位置をずらせた開口部が設けてある。この空気注入口に足踏み式エアーポンプを塩ビパイプで連結し、ポリタンク内の大気圧を高めることにより、サイフォンの原理で石油送出口より石油を汲み出し、また送出を止めるにはレバーを倒すことで瞬時に流れをストップさせることを特徴とした足踏み式石油ポンプである。
【発明の詳細な説明】
【０００１】  本発明は、ポリ容器内の石油等の液体を加圧することにより、サイフォンの原理を利用して容器内の液体を他の容器に移動させる足踏み式石油ポンプである。
【背景技術】
【０００２】  従来、簡便な石油ポンプとしてメジャーなそれは、容器内の液体を強い握力で反復吸引させるものが知られている。内容物を移動させる際、移し変える容器の高低差をつけておかないと自動的な内容液の移送がスムーズに行われず止まってしまう。
【発明の開示】
【発明が解決しようとする課題】
【０００３】  上述した様に移動させたい液体の上面が移す容器の液面と次第に近くなり、やがて同じレベルから逆転した場面もたぶんに経験するところであるがそうした場合、前述した吸引型のポンプでは、石油溜りを何度も握り、こぎ続けなければならない。特にお年寄りや女性にはきつい作業かと思われる。ところが足踏み式の当方式によれば意外と容器内の大気圧を高めることが出来、サイフォン作用の補助力にもすぐれ、何よりも足を使用する方が体重利用の相乗効果あり、手動の汲上げ方式よりかなり楽である。本発明はこれらの問題点を解決する為になされたものである。
【課題を解決するための手段】
【０００４】  石油貯蔵用ポリ容器の蓋を［図１］参照の様に、足踏み式エアーポンプからの空気取り入れ口と、容器内の石油を外へ送出させるパイプのジョイントを設ける。
送出口には流出する石油を止めると同時に、容器内の圧を抜くレバーハンドルが備わっており、瞬時に石油の送出をストップすることが出来る。
前述のように注油・油断が簡単に出来ることをも特徴とした足踏み式石油ポンプである。
【発明の効果】
【０００５】  本発明は石油貯蔵容器内の大気圧を高めることにより、容器内の石油をサイフォン方式で送出するものである。但し、容器内の圧を高めるため、蓋の装着はエアーが漏れない様に確実に行わなければならない。石油送出口からの送油が目視で確認でき、必要量が注油された場合、レバーハンドルを倒せば送油口が塞がれ、同時に容器内にエアーが流入し油の流れが遮断される。
また、液面が貯蔵タンクと受け取る容器側のレベルが同位の場合、流入が止まってしまうが、再度足踏みエアーポンプを軽く踏み込めば石油の流出が再開され、手の握力でもってする作業に比べればかなり楽である。また主力が足力のため、両手がフリーであり、給油容器の転倒防止や注油ストッパーの操作も楽にこなすことが出来、安全面での対応も万全かと思われる。
【発明を実施するための最良の形態】
【０００６】  以下、本発明の実施の形態について説明する。
（イ）石油貯蔵容器（ポリタンク）の蓋に（２）の石油送出口と（３）の空気吸引口、そして（４）の空気注入口を設け［図３］のレバーハンドルを組付ける。
（ロ）（２）と（６）に軟質塩ビパイプを嵌め（７）の塩ビパイプはポリタンクの底に届く長さが必要。また（２）に取り付けたそれは５０ｃｍ程度の長さがあれば良い。
（ハ）（１０）の足踏み式エアーポンプと（４）を塩ビパイプでつなぐ。
（ニ）（１）のレバーハンドルを垂直に立てることにより、レバーハンドルの開穴部が（２）と（６）に連結して開通。一方［図３］の３（ａ）が横向きとなり穴が塞がりポリタンク内が密封状態となる。
（ホ）以上の手順の後、エアーポンプを踏めば貯蔵タンク内の空気圧が次第に増加して（２）より石油が送出される。給油を止める時は（１）のレバーを真横に倒せば（１）の２（ａ）が横向きで塞がれ、３（ａ）が開通することでポリタンク内の圧が抜け、給油がストップする。
本発明は、以上の構成よりなっている。
【図面の簡単な説明】
【０００７】
【図１】本発明の斜視図
【図２】本発明の側面図
【図３】レバーハンドルの側面図
【図４】レバーハンドルの平面図
【図５】本発明の使用状態を示す斜視図
【符号の説明】
【０００８】１    レバーハンドル
２    石油送出口
３    空気吸引口
４    空気注入口
５    石油貯蔵容器蓋
６    石油送出パイプ継口
７    軟質塩ビパイプ
８    石油貯蔵容器（ポリタンク）
９    燃料タンク
１０  足踏み式エアーポンプ
【図１】
2012020785.tif 000003
【図２】
2012020785.tif 000004
【図３】
2012020785.tif 000005
【図４】
2012020785.tif 000006
【図５】
2012020785.tif 000007
(57)【要約】      （修正有）【課題】市販の再利用チューブゴムと組み合わせて使用する事により、積荷等が大きく不定形である場合や大きなシートの結束等を、一人作業で簡易に結束出来る自在結束金具の提供。【解決手段】再利用チューブゴムの片側を折返し、自在結束金具本体ロックピン２に差し込み、開放ポイント３を通過させ引くと固定、先端フックを積荷や床フック等に掛け積荷を一周し反対側もロックピン２で固定、片手で緩みを引き集めて一方で引き出す、左右で行うと全体が強く張り一人作業で簡易に結束出来る。【選択図】図１
2012020786.tif 000002
【特許請求の範囲】
【請求項１】
本発明は、再利用チューブゴムの片側を折返し、本体ロックピンに差し込み、開放ポイントを通過させ引くと固定、先端フックを積荷や床フック等に掛け積荷を一周し反対側もロックピンで固定、片手で緩みを引き集めて一方で引き出す、左右で行うと全体が強く張り一人作業で簡易に結束出来ることを特長とする自在結束金具。
【発明の詳細な説明】
【技術分野】
【０００１】  本発明は市販の再利用チューブゴムと組み合わせて使用する事により、積荷等の荷締めを行う時、簡易に結束を行う事を可能にする自在結束金具に関するものである。
【背景技術】
【０００２】  従来から、フック金具と調整金具の二つの金具でチューブゴムを結束する金具等があった。
【発明が解決しようとする課題】
【０００３】  しかしながら、従来の技術では積荷等が大きく不定形である場合や大きなシートの結束等、一人作業で簡易に結束出来ない難点があった。
【発明を解決するための手段】
【０００４】  本発明は、再利用チューブゴムの片側を折返し、本体ロックピンに差し込み、開放ポイントを通過させ引くと固定、先端フックを積荷や床フック等に掛け積荷を一周し反対側もロックピンで固定、片手で緩みを引き集めて一方で引き出す、左右で行うと全体が強く張り一人作業で簡易に結束出来ることを特長とする自在結束金具。
【発明の効果】
【０００５】  請求項１の発明によれば市販の再利用チューブゴムと組み合わせて使用する事により、積荷等が大きく不定形である場合や大きなシートの結束等も、一人作業で簡易に結束出来る。
【図面の簡単な説明】
【０００６】
【図１】本発明の実施の形態を示す。
【符号の説明】１‥‥本体
２‥‥ロックピン
３‥‥開放ポイント
【図１】
2012020786.tif 000003
(57)【要約】      （修正有）【課題】洗いものをしていると、水の跳ね掛りで、衣服が濡れ、又、洗し台横にある冷蔵庫も汚れている水の跳ね掛りを予防するカバーを提供する。【解決手段】長方形板１の下部に溝２を設け、この溝にマグネット３を取り付ける。概長方形板１を、流し台の内側のステンレス部分に、人体の腰の部分までをカバー出来る高さで取り付ける。【選択図】図１
2012020103.tif 000002
【特許請求の範囲】
【請求項１】
板（１）の下部に講（２）を設けてマグネット（３）を取り付けた水の跳ね掛り予防カバー。
【発明の詳細な説明】
【発明の詳細な説明】
【技術分野】
【０００１】この発明は、洗し台で洗い物中に、衣服に水がかかり濡れるのを防ぐ、水の跳ね掛り予防カバーに関するものである。【０００２】現在市場にはありません。
【発明が解決しようとしている課題】
【０００３】流し台で洗い物をしたあとは、衣服が、びっしょりと濡れている。
エプロンをかけるのも面倒である。狭い室内では、洗し台の横にある冷蔵庫の側面も水はねで汚れている。以上の欠点を失くすためのものである。
【課題を解決するための手段】
【０００４】板（１）の下部に溝を設け（２）マグネット（３）を取り付けた水跳ね予防カバーである。
【発明実施の形態】
【０００５】以下、本発明の形態について説明する。
長方形板（１）の下部に溝（２）を設け、マグネット（３）をとりつける。（１）と（２）と（３）からなる板を、洗し台内側のステンレス部分にとりつける。板は人体の腰の位置迄水跳をカバーできるようにとりつける。
本発明は、以上の構成よりなる水跳ね予防カバーである。
【発明の効果】
【０００６】流し台内側ステンレス部分に本発明品を、とりつける事により、衣服への水漏や、流し台横にある冷蔵庫側面の水跳ねによる汚れを予防できる。本発明品は、家庭内だけでなく、食堂やレストラン、又、工場等でも、使用できることを考えると、使用される範囲は広いものと思われる。
【図面の簡単な説明】
【図１】本発明の正面図である。
【図２】本発明の斜視図である。
【符号の説明】１  板
２  溝（マグネット取りつけの溝）
３  マグネット
【図１】
2012020103.tif 000003
【図２】
2012020103.tif 000004
(57)【要約】      （修正有）【課題】背中の凉しいリュックサックを提供する。【解決手段】リュックサック１の背中に保冷剤３を入れるためのポケット２をつける。ポケット２は、冷気を徐々に伝えるフェルト様の材質にする。【選択図】図１
2012020102.tif 000002
【特許請求の範囲】
【請求項１】
リュックサックの背中に保冷剤を入れるためのポケットをつける。ポケットの材質は冷気を徐々に伝えるフェルト様の材質にする。
【発明の詳細な説明】
【技術分野】
【０００１】  本発明は夏背中を涼しくするリュックサックに関するものである。
【発明の概要】
【発明が解決しようとする課題】
【０００２】  夏リュックサックを背負うと背中が暑く大量の汗をかいた。
本発明は以上の問題点を解決するためになされたものである。
【課題を解決するための手段】
【０００３】  リュックサックの背中に保冷剤を入れるためのポケットをつける。ポケットの材質は冷気を急に伝えず徐々に伝えるフェルト様の材質にすることである。
以上の構成よりなる背中の涼しいリュックサック。
【発明の効果】
【０００４】  従来夏にリュックサックを背負うと背中が大変に暑く大量の汗をかいた。リュックサックのポケットに保冷剤を入れることで凉しくリュックサックを背負うことができる。
【図面の簡単な説明】
【０００５】
【図１】  本発明の背面図
【発明を実施するための形態】
【０００６】  （イ）リュックサックの背中にポケットを付ける。
（ロ）ポケットに保冷剤を入れる。
【符合の説明】
【０００７】  （１）リュックサック  （２）ポケット  （３）保冷剤
【図１】
2012020102.tif 000003
(57)【要約】【課題】固定具は超音波プローブに比べ大きく邪魔なものである。  そこで、本発明では、固定具が不要な超音波照射装置の具現化を課題とする。【解決手段】生体に超音波を照射する超音波プローブと、超音波プローブに駆動信号を供給する超音波照射装置本体と、超音波プローブを生体に接着させ、且つ超音波を効率よく生体に伝搬する超音波カプラとから超音波照射装置を構成する。超音波カプラは、アクリル系樹脂架橋体、多価アルコール、電解質中性塩類、精製水、及び安定剤からなる混合物を円形のシート状に成形する。また、アルミの超音波プローブの生体接触面に１ｍｍ以下の間隔の同心円、又は螺旋状の旋削溝入れ加工を施す。【選択図】図１
2012020020.tif 000002
【特許請求の範囲】
【請求項１】
治療又は診断に用いられる超音波照射装置であり、
超音波を照射する超音波プローブと、
前記超音波プローブに駆動信号を供給する超音波照射装置本体と、
前記超音波プローブを生体に接着させるとともに
前記超音波プローブが照射した超音波を効率よく生体に伝搬する超音波カプラとからなり、
前記超音波カプラは、アクリル系樹脂架橋体、多価アルコール、電解質中性塩類、精製水、及び安定剤からなる混合物を円形のシート状に成形したものであり、
前記超音波プローブの生体接触面は、アルミ素材に１ｍｍ以下の間隔の同心円又は螺旋状の旋削溝入れ加工を施したものであることを特徴とする超音波照射装置。
【発明の詳細な説明】
【技術分野】
【０００１】
本発明は、治療又は診断に用いられる超音波照射装置に関するものであり、特に超音波プローブの固定具を不要とする超音波照射装置に関する。
【背景技術】
【０００２】
治療や診断に用いられる超音波照射装置は、超音波を照射する超音波プローブ、
超音波プローブに駆動信号を供給する超音波照射装置本体、及び、超音波プローブを患部に固定する固定具から構成されているものが従来より知られている。
【０００３】
使用に当たっては、超音波プローブと生体の間にジェル状の超音波伝搬物質を塗り、超音波の伝搬を良くしている。
【特許文献１】特開２００９−１８３６０５号公報
【０００４】
開示した特許文献は装着具（本願、固定具に相当）又は体表に超音波伝搬物質の残留を減少又は消失させるための超音波振動子（本願、超音波プローブに相当）装着具が開示されている。
【発明の開示】
【発明が解決しようとする課題】
【０００５】
ところで、固定具は超音波プローブに比べ大きく邪魔なものである。
そこで、本発明では、固定具が不要な超音波照射装置の具現化を課題とする。
【課題を解決するための手段】
【０００６】
生体に超音波を照射する超音波プローブと、
超音波プローブに駆動信号を供給する超音波照射装置本体と、
超音波プローブを生体に接着させ、且つ超音波を効率よく生体に伝搬する超音波カプラとから超音波照射装置を構成する。
【０００７】
アクリル系樹脂架橋体、多価アルコール、電解質中性塩類、精製水、及び安定剤からなる混合物を円形のシート状に成形し、生体との接着性が良く、且つ超音波を効率よく伝搬する超音波カプラを得る。
【０００８】
また、アクリル系樹脂架橋体、多価アルコール、電解質中性塩類、精製水、及び安定剤からなる混合物を円形のシート状に成形し超音波カプラとの接着性を向上させるために、アルミの超音波プローブの生体接触面に１ｍｍ以下の間隔の同心円、又は螺旋状の旋削溝入れ加工を施す。
【発明の効果】
【０００９】
超音波カプラをアクリル系樹脂架橋体、多価アルコール、電解質中性塩類、精製水、及び安定剤からなる混合物を円形のシート状に成形しているので、超音波カプラと生体との接着が良好であり、
一方、プローブの生体接触面（アルミ素材）に１ｍｍ以下の間隔の同心円、又は螺旋状の旋削溝入れ加工を施しているので、アクリル系樹脂架橋体、多価アルコール、電解質中性塩類、精製水、及び安定剤からなる混合物を円形のシート状に成形した超音波カプラとの接着性が良好であるので、超音波プローブは超音波カプラを介して、
生体にしっかりと接着され、固定具を不要とすることができる。
【発明を実施するための最良の形態】
【００１０】
本発明の実施例を図を用いて説明する。
図１は本発明による超音波照射装置を示すものであり、超音波照射装置本体と、超音波プローブと、超音波カプラから構成される。
【００１１】
超音波照射装置本体は、電源回路、制御回路、操作手段、超音波周波数信号発生回路などから構成される。
【００１２】
図２は超音波プローブと超音波カプラを示している。
超音波プローブの接触面は、と超音波カプラ介して生体に接着される。
図３は超音波プローブの断面である。
超音波プローブはアルミ素材の筐体、振動子、蓋体、コードから構成される。
振動子は、コードで接続された超音波本体から信号を供給され超音波振動を起こす。
振動子で発生した振動は筐体、超音波カプラ介して生体に伝わる。
【００１３】
超音波カプラは、超音波振動を効率よく伝えるとともに、生体との接着力が良好な物質を円形のシート状に成形したものを用いる。
本発明者の実験では、アクリル系樹脂架橋体、多価アルコール、電解質中性塩類、精製水、及び安定剤からなる混合物が振動の伝達性、接着力の双方で良好な特性が得られることが判明している。
【００１４】
図５は超音波プローブの接触面を示している。
金属の平面とアクリル系樹脂架橋体、多価アルコール、電解質中性塩類、精製水、及び安定剤からなる混合物の接着力を改善するために、同心円、又は螺旋状の旋削溝入れ加工を接触面に施してある。
本発明者等の実験では、溝の間隔は１ｍｍ以下、特に０．２〜０．３ｍｍにおいて接着力が著しく向上することが判明した。
【００１５】
図４は本発明の実施形態を示す。
超音波カプラをアクリル系樹脂架橋体、多価アルコール、電解質中性塩類、精製水、及び安定剤からなる混合物を円形のシート状に成形しているので、超音波カプラと生体との接着が良好であり、
一方、プローブの生体接触面（アルミ素材）に０．２〜０．３ｍｍ間隔の同心円、又は螺旋状の旋削溝入れ加工を施しているので、アクリル系樹脂架橋体、多価アルコール、電解質中性塩類、精製水、及び安定剤からなる混合物を円形のシート状に成形した超音波カプラとの接着性が良好であるので、超音波プローブは超音波カプラを介して、
生体にしっかりと接着され、固定具を不要とすることができる。
【図面の簡単な説明】
【００１６】
【図１】本発明による超音波照射装置の図
【図２】本発明による超音波プローブと超音波カプラの図
【図３】本発明による超音波カプラの断面図
【図４】本発明の実施形態の一例
【図５】本発明による超音波プローブの接触面の図
【符号の説明】
【００１７】
１・・・・超音波照射装置本体
２・・・・超音波プローブ
３・・・・超音波カプラ
【図１】
2012020020.tif 000003
【図２】
2012020020.tif 000004
【図３】
2012020020.tif 000005
【図４】
2012020020.tif 000006
【図５】
2012020020.tif 000007
(57)【要約】【課題】  本来、絆創膏を使用する際、粘着部分どうしがくっついたりして、失敗してダメにしてしまうことがあるのと、手の指に貼る時に隣の指が邪魔して、貼りにくいことがある。【解決手段】  本体１を指につけて、そこに絆創膏を裏向きに貼り固定し、フィルムをはがし、指で押さえながら傷口に貼り付け、本体１をはがすようにする。【構成】  本体１は、シリコンなどのゴム状でやわらかいものを使用し、何回洗っても粘着効果が持続出来るような素材にする。大きさは、大人の人差し指の幅より、ほんの少し小さめにする。【選択図】図１
2012020088.tif 000002
【特許請求の範囲】
【請求項１】
指に本体１をつけて、そこに絆創膏を裏向きに貼り固定し、フィルムをはがして、指で押さえるように傷口に貼りつけ、本体１をはがすようにする。
【発明の詳細な説明】
【技術分野】
【０００１】  本発明は、本体１を指につけて、そこに絆創膏を裏向きに貼り固定し、フィルムをはがしてから、指で押さえるように傷口に貼り付け、本体１をはずすようにしたものである。
【発明が解決しようとする課題】
【０００２】  本来、絆創膏を貼る時、粘着部分どうしがくっついたりして、失敗してダメにしてしまうことがあるのと、手の指に貼る時、隣の指が邪魔して貼りにくいことがあるので、本発明はこの課題を解消するためになされたものである。
【課題を解決するための手段】
本体１を指につけて、そこに絆創膏を裏向きに貼り固定し、フィルムをはがしてから指で押さえるように傷口に貼り付け、本体１をはずすようにする。
【発明の効果】
このようにすれば、粘着部分どうしがくっついたりして失敗してダメにしてしまうことがなく、特に絆創膏を傷口のある手の指に貼りつける時は、本体１を反対の手の指につけて、絆創膏を裏向きに貼り固定し、フィルムをはがし、手の指を曲げながら傷口に貼りつけると非常に容易に貼りつけることができる。
【図面の簡単な説明】
【図１】  絆創膏貼付の補助具の全体図
【発明を実施するための形態】
本体１は、シリコンなどのゴム状でやわらかいものを使用し、何回洗っても粘着効果が持続出来るような素材にする。大きさは、大人の人差し指の幅・長さよりほんの少し小さめにする。
【符号の説明】  １  本体
【図１】
2012020088.tif 000003
【図２】
2012020088.tif 000004
【手続補正書】
【提出日】平成22年9月30日(2010.9.30)
【手続補正１】
【補正対象書類名】明細書
【補正対象項目名】全文
【補正方法】変更
【補正の内容】
【発明の詳細な説明】
【技術分野】
【０００１】  本発明は、本体１を指につけて、そこに絆創膏を裏向きに貼り固定し、フィルムをはがしてから、指で押さえるように傷口に貼り付け、本体１をはずすようにしたものである。
【発明が解決しようとする課題】
【０００２】  本来、絆創膏を貼る時、粘着部分どうしがくっついたりして、失敗してダメにしてしまうことがあるのと、手の指に貼る時、隣の指が邪魔して貼りにくいことがあるので、本発明はこの課題を解消するためになされたものである。
【課題を解決するための手段】
【０００３】  本体１を指につけて、そこに絆創膏を裏向きに貼り固定し、フィルムをはがしてから指で押さえるように傷口に貼り付け、本体１をはずすようにする。
【発明の効果】
【０００４】  このようにすれば、粘着部分どうしがくっついたりして失敗してダメにしてしまうことがなく、特に絆創膏を傷口のある手の指に貼りつける時は、本体１を反対の手の指につけて、絆創膏を裏向きに貼り固定し、フィルムをはがし、手の指を曲げながら傷口に貼りつけると非常に容易に貼りつけることができる。
【図面の簡単な説明】
【０００５】
【図１】  絆創膏貼付の補助具の全体図
【図２】  本体１を指に付けた状態の図
【発明を実施するための形態】
本体１は、ゴム状でやわらかいものを使用し、何回洗っても粘着効果が持続出来るような素材にする。大きさは、大人の人差し指の幅・長さよりほんの少し小さめにする。
【符号の説明】
【０００６】１  本体
(57)【要約】【課題】一つの鏡で顔を普通に見る事と、拡大として見る事の出来る鏡を提供する。【解決手段】鏡の一部に拡大レンズを取り付けることによりキ−ポイントを拡大して見る事が出来る。【選択図】図１
2012020087.tif 000002
【特許請求の範囲】
【請求項１】
本発明は、枠を設けたフタ付の鏡の上部に拡大レンズを設けたことを特徴とする拡大レンズ付鏡。
【発明の詳細な説明】
【技術分野】
【０００１】  本発明は、手鏡の上部に拡大レンズを設けることにより、つけまつ毛等をつける際に拡大レンズで目元を大きく見ることが出来るので楽に綺麗に取り付ける事が出来る。
【背景技術】
【０００２】従来、手鏡は平面鏡が多く、細部をだけ大きく見るという事が出来ない。
【特許文献１】特許第６７２８７７号広報
【発明の開示】
【発明が解決しようとする課題】
【０００３】  そのために、次のような問題点があった。
つけまつ毛やお化粧をする時に上手くいかず何度もやり直す事が多々あった、
本発明は以上の問題点を解決しようとするものである。
【課題を解決するための手段】
【０００４】  本発明は、枠を設けたフタ付の鏡の上部に拡大レンズを設けたことを特徴とする拡大レンズ付鏡。
【発明の効果】
【０００５】  本発明は、手鏡の上部に拡大レンズを設けるける事によりツケまつ毛を付ける際や、お化粧をする時にポイントを大きく見る事が出来る、又平面鏡で全体の仕上がりを確認出来る。
【発明を実施するための最良の形態】
【０００６】以下、本発明の実施の形態を説明する。
（イ）鏡枠（３）の上部にと拡大レンズ（１）を重合わせたものを設ける。
（ロ）鏡枠（３）全体に平面鏡（２）を設ける。
（ハ）鏡枠（３）の最上部に心棒（５）でフタ（４）を取り付ける。
本発明は、以上の構成よりなっていてこれを使用するときはフタ（４）を開けて裏側に倒してスタンド（Ａ）として使用すれば両手が使えるし、手で持って（Ｂ）拡大レンズ（１）を目元に近ずければツケまつ毛を取り付ける時に便利である、お化粧仕上がり後に平面鏡（２）で顔全体のお化粧が確認出来る。
【図面の簡単な説明】
【０００７】
【図１】本発明の斜視図
【図２】本発明の分解斜視図
【図３】本発明の使用状態を示す斜視図
【符号の説明】
【０００８】  １    拡大レンズ
２    平面鏡
３    鏡枠
４    フタ
５    心棒
６    手
（Ａ）  フタを開けてスタンドにした状態
（Ｂ）  手で持って使用した状態
【図１】
2012020087.tif 000003
【図２】
2012020087.tif 000004
【図３】
2012020087.tif 000005
(57)【要約】【課題】横になり本を読むには、両手で本を持つしかない。腕も疲れる。本を横になったときの目線に合わせなければ読みにくい。真冬は肩も腕も冷たくなってしまう。入院患者さんたちも点滴のホースがじゃまで思うようにならない。本が斜めになっても本押さえで固定するためずれおちない、回転式本読み台を提供する。【解決手段】背板押さえに三脚を取り付ける。背板と背板押さえをボルトと蝶ナットで締め付ける。背板に本受け台を丁番で固定する。本押さえをＣ型レールに左右２ケ取り付け、３６０度回る回転式本読み台を特徴とする。【選択図】図３
2012020089.tif 000002
【特許請求の範囲】
【請求項１】
背板と背板押さえの中心部にボルト穴をあけ、背板押さえに三脚を取り付け、背板と背板押さえをボルトと蝶ナットで固定し、背板に本受け台を丁番で固定し、背板の前面に設けてあるＣ型レールに本押さえを左右はめ込み、ボルトを支点として回る回転式本読み台。
【発明の詳細な説明】
【技術分野】
【０００１】  本発明は、横になり本を読むには目線に本の角度も合わせなければ読みにくい。そのため角度が自由自在になるための物である。なお両手で本を持たずして読む回転式本読み台である。
【背景技術】
【０００２】  従来、本を読むには両手で持つか、平らな所に広げて置くか、倒れないように立てかけるようにして読んでいた。
【先行技術文献】
【０００３】
【特許文献】
【発明の概要】
【発明が解決しようとする課題】
【０００４】  本を読むにあたり、入院患者さんたちは、点滴のホースがじゃまになり、本が持ちにくい。横になり読むにはホースが曲がり点滴のブザーが鳴ってしまう。腕も疲れる。台所で調理するときレシピをねかせてみていた。本発明は、以上の問題点を解決するためになされたものである。
【課題を解決するための手段】
【０００５】  背板と背板押さえをボルトと蝶ナットで固定する。背板押さえに三脚を固定する。背板に本受け台を取り付ける。本押さえを左右に取り付ける。以上の構成によりなる回転式本読み台である。
【発明の効果】
【０００６】  本受け台全体が自由自在に回転するため、横になり本を読むときでも目線に本の角度を合わせることができ、本を持たないため腕も疲れないですむ。冬の寒いときも蒲団から手を出さずにすみ、肩も手も冷たくならない。また、台所で調理する際にもレシピを立ててみられる。本が斜めになっても本押さえで固定できるためずれない。以上である。
【図面の簡単な説明】
【０００７】
【図１】  本発明の正面図である。
【図２】  本発明の背面図である。
【図３】  本発明の斜視図である。
【図４】  本発明の背面からみた斜視図である。
【図５】  本発明の本押さえの斜視図である。
【図６】  本発明の本押さえの斜視図である。
【発明を実施するための形態】
【０００８】  以下、本発明の実施の形態を説明する。
（イ）三脚（９）（１０）（１１）を蝶ナット（１５）とボルト（２）で、上部の穴に差      し込み組み立てる。
（ロ）できた三脚を、背板押さえ（１４）に三脚（９）（１１）をビスで固定する。
三脚（１０）は前後の角度調整のため固定しない。
（ハ）背板正面からボルトを差し、背板押さえのボルト穴に通し蝶ナットで固定する。
（ニ）背板に本受け台を丁番２ケで取り付ける。
（ホ）Ｃ型レールに本押さえを左右取り付ける。
本発明は、以上のような構造である。
回転させるにあたり説明する。中心部にボルト１本で固定してあるため支点になり回るのである。横になり本を読むには左右に大意が変わる場合、背板の上部を下へ押せば左右どちらでも回る。本の厚さが異なるときは、本押さえの中心部を前後に動かし調整する。真冬でもページをめくるときに手を出すだけのため、肩も腕も冷えないで長時間読書が楽しめる。腕も楽である。本押さえで固定してあり、本がかなり斜めでもずれない。台所で調理するにも幅の広いレシピ本も入り立てておける。持ち運びにもコンパクトになるのである。
【符号の説明】
【０００９】  １  背板、２  ボルト、３  Ｃ型レール、４  本押さえ、５  ボルト、６  蝶ナット、７  丁番、８  本受け台、９  三脚、１０  三脚、１１  三脚、１２  蝶ナット、１３  ボルト、１４  背板押さえ、１５  蝶ナット
【図１】
2012020089.tif 000003
【図２】
2012020089.tif 000004
【図３】
2012020089.tif 000005
【図４】
2012020089.tif 000006
【図５】
2012020089.tif 000007
【図６】
2012020089.tif 000008
(57)【要約】【課題】従来の洗濯物の乾燥はハンガーに洗濯物を掛け、物干し竿に吊して、自然乾燥する事で、天気、気候に左右され、乾燥に時間がかかり、最悪の場合は衣類が半乾きで雑菌が繁殖し生臭くなっていた。  また、乾燥機での温風による強制乾燥、洗濯機に付属する送風機能での乾燥では光熱費がかかったり、衣類を傷めたりしていた。【解決手段】洗濯物の全体に風があたり、通り抜けるように、洗濯物の上部より風を送る事で、天気、気候に左右されず、光熱費をおさえ、短い時間で効率よく乾燥が可能になる。【特許請求の範囲】
【請求項１】
洗濯物の乾燥する際に、天気、気候に左右されず、光熱費を押え、短い時間に効率よく乾燥できるようにするために，洗濯物全体に風が当たり通るように、洗濯物の上部より風を送るうに扇風機を取付けた洗濯物送風乾燥機。
【発明の詳細な説明】
【技術分野】
【０００１】  本発明は洗濯物を乾燥させる際の効率的かつ確実な乾燥方法に関する。
【背景技術】
【０００２】  洗濯物を乾燥する際には、ハンガーに洗濯物を掛け、物干し竿につるし自然乾燥するか、乾燥機で温風を送り強制的に乾燥するか、洗濯機に付属する送風機能で乾燥していた。
【発明の開示】
【発明が解決しようとする課題】
【０００３】  従来の洗濯物の乾燥はハンガーに洗濯物を掛け、物干し竿に吊るし自然乾燥していたために天気、気候に左右され、最悪の場合、衣類は半乾きで雑菌が繁殖し生臭くなる事があった。
また、乾燥機で温風を送り強制的に乾燥するか、洗濯機に付属する送風機能で乾燥しているために、光熱費が必要以上にかかっていた。【０００４】  本発明は、このような問題点を解決する物であり、光熱費をおさえ、天気、気候に左右される事無く効率よく、洗濯物を乾燥できる乾燥機である。
【課題を解決するための手段】
【０００５】  本発明は、上記目的を達成するために、常時、洗濯物全体に風があたり、洗濯物の間を風が通り抜けるように洗濯物の上部に風を送る扇風機を取り付けた物である。
【発明の効果】
【０００６】  上記のように洗濯物の上部から風を送る事によって、洗濯物の全体に風があたり、洗濯物の間を風が通りぬける様になる。【０００７】  風を上部より送風する事により、設置面積は少なくてすむ。【０００８】  常に一定の風を上部より送風する事により、天気、気候に左右される事無く、短い時間で乾燥ができ、微風でも乾燥が可能なために、光熱費も低く押えられる。【０００９】  特に長雨の時期に、長い時間乾燥できないために雑菌が繁殖し衣類が生臭くなる事を上部より常に送風する事により雑菌の繁殖を押え、乾燥できる。
【発明を実施するための最良の形態】
【００１０】  以下、本発明を図１〜図３に基づいて説明する。【００１１】  図１、図２，図３において、ハンガー掛け棒（２），扇風機取付けライナー（３）、ハンガー掛け棒（２）を固定するハンガー掛け棒固定棒（４）を取付けた外枠レーム（１）で構成されている。【００１２】  上記の構成を説明すると、洗濯物を掛けたハンガーを吊るすハンガー掛け棒（２）を固定するハンガー掛け棒固定棒（４），風を送る扇風機を取り付ける扇風機取付けライナー（３）を取付けた外枠フレーム（１）で構成されている。
【図面の簡単な説明】
【００１３】
【図１】洗濯物送風乾燥機の正面図
【図２】洗濯物送風乾燥機の側面図
【図３】洗濯物送風乾燥機の上側面図
【符号の説明】
【００１４】  １・・・外枠フレーム
２・・・ハンガー掛け棒
３・・・扇風機取付けライナー
４・・・ハンガー掛け棒固定棒
【図１】
2012020097.tif 000002
【図２】
2012020097.tif 000003
【図３】
2012020097.tif 000004
(57)【要約】      （修正有）【課題】鼻腔の洗浄をして花粉症等の鼻炎アレルギーの症状を改善する為の簡易鼻腔洗浄器を提供する。【解決手段】鼻腔の特定の部分が洗浄し易いように、細く小さい放水口１と、底から左右両側に折目３を入れ、指で押し易いように前後を平たくした本体２からなっている。放水口１を鼻腔患部に定め、本体２の前後を押した場合、入れた真水などが放水口１から一定量放水されることにより楽に洗浄できる。この洗浄器は顔を下に向けた状態で目の洗浄も可能である。【選択図】図１
2012020098.tif 000002
【特許請求の範囲】
【請求項１】
鼻腔を洗浄する為に、細く小さい放水口（１）と指で挟んで容器本体（２）に溜まった真水が押し出し易いように、前後が平たくなり、底から左右両側に折目（３）の入った容器からなる鼻腔洗浄器である。
【発明の詳細な説明】
【技術分野】
【０００１】  この発明は、放水口を細く小さくして、水を溜めた容器本体の平たくなった前後を指で押して放水し、鼻腔内の特定部分を洗浄する鼻腔洗浄器に関するものである。
【背景技術】
【０００２】  従来、真水による簡易鼻腔内洗浄器はなかった。
【発明の開示】
【発明が解決しようとする課題】
【０００３】  これには次のような問題があった。
鼻腔を洗浄する場合、水の量が少ないと患部を十分に洗浄できない。反対に勢いよく水を放水し過ぎると鼻の奥に痛みが生じる為、特定の部分に一定量の真水を無理なく放水する必要がある。
本発明は以上のような問題を解決する為になされたものである。
【課題を解決する為の手段】
【０００４】  細く小さい放水口（１）と真水の溜る本体（２）から成る。本体（２）の前後を平たくし指で挟んで押し放水する。その時、無理なく放水できる様に底から左右両側に折目（３）を入れる。
本発明は、以上の構成よりなる鼻腔洗浄器である。
【発明の効果】
【０００５】  鼻腔の炎症する部分を細く小さい放水口からの一定量の放水により楽に洗浄できる。
さらに、この洗浄器は顔を下に向けた状態で目の洗浄も可能である。
【発明を実施する為の最良の形態】
【０００６】  以下、本発明実施する為の最良の形態について説明する。
細く小さい放水口（１）の上部と指で挟めて押し易いように本体（２）前後を平たくし溜めた真水が出易いように底から左右両側に折目（３）の入った本体（２）からなっている。
放水口（１）を鼻腔患部に定め、真水の溜った本体（２）の前後を指で軽く押すと患部は洗浄され花粉症等の鼻炎アレルギーの症状は改善される。
本発明は以上のような構造である。
【図面の簡単な説明】
【０００７】
【図１】本発明の斜視図である。
【図２】本発明の断面図である。
【符号の説明】
【０００８】  １  細く小さい放水口。
２  水の溜る本体。
３  底から左右に入る折目。
【図１】
2012020098.tif 000003
【図２】
2012020098.tif 000004
(57)【要約】      （修正有）【課題】麻薬を用いないで、痛みに苦しむ患者さんの疼痛を除去する装置を提供する。【解決手段】患者をテント内に入れ、笑気ガス８０％、酸素ガス２０％よりなる混合気体を、テント内に放流し、笑気の除痛作用により、術後の疼痛のコントロール、末期癌の疼痛緩和、苦しい神経痛、その他、あらゆる疼痛のコントロールを図るようにした。笑気ガス、酸素ガスの放流に関しては、流量計の誤差も計算に入れて、正確な設備設定を行うようにする。【選択図】なし【特許請求の範囲】
【請求項１】
笑気ガス８０％、酸素ガス２０％よりなる混合気体を、テント内で吸入して得られる除痛。
【発明の詳細な説明】
【技術分野】一般臨床全体
【背景技術】笑気に麻酔作用（除痛作用）があることは、医学の常識である。約２０年前頃一般臨床で使用されていた酸素テントを、そっくり利用すればよい。
【発明の開示】
患者さんをテント内に入れ、笑気ガス８０％・酸素ガス２０％からなる混合気体をテント内に放流すればよい。笑気の除痛作用により、術後の疼痛のコントロール、末期癌の疼痛緩和、苦しい神経痛、その他、あらゆる疼痛のコントロールに利用する。
【発明が解決しようとする課題】
麻薬を使用しないで、あらゆる疼痛を除去すること。
【課題を解決するための手段】
以上述べたとうりの手段をとる。
【発明の効果】
一般常識を覆す除痛効果。
【発明を実施するための最良の形態】笑気ガス、酸素ガスの放流に関しては、絶対の厳しいやり方が要求される。流量計の誤差も計算に入れて、正確な設備の設定を行い，流量計は責任者以外の者の手の届かない場所に置くこと。
【実施例】略
【産業上の利用可能性】このコンセプトが実現されたら、世界中の臨床に革命的変化をもたらすであろう。
【図面の簡単な説明】図  略
(57)【要約】【課題】  健康や美容の推進、向上のためにシリコンゴム製の突起物で指圧やマッサージ等を行うことが大変良いと言われている。  本発明は、身に付ける布等ならば自分の体に合わせて、必要とする個所どこにでも自由に縫い付けて容易に利活用ができるようにした、目的達成を図るための取り付けが簡単な突起物を提供する。【解決手段】  本体（１）の周縁部に、複数の開口部（２）を設けたことを特徴とする取り付けが簡単な突起物。【選択図】図１
2012020100.tif 000002
【特許請求の範囲】
【請求項１】
本体（１）の周縁部に、複数の開口部（２）を設けたことを特徴とする取り付けが簡単な突起物。
【発明の詳細な説明】
【技術分野】
【０００１】  本発明は、シリコンゴム製の突起物で周縁部に身に付ける布等ならば自分の必要とする個所どこにでも簡単に縫い付けられるように複数の開口部を設け、健康や美容の推進、向上のために自由に取り付けて活用できるようにした取り付けが簡単な突起物に関するものである。
【背景技術】
【０００２】  従来は、シリコンゴム製の突起物を布等に取り付ける場合、シリコンゴムには油分が多く含まれているため接着や粘着等の方法に依る取り付けが極めて困難であった。
また、そのため取り付けた製品の製造コストが著しく高価なものであった。
さらに、画一的な製品に限られてしまって自由に気軽に活用することができなくて、効果が得られず充分に機能が発揮されない等の問題があった。
【発明の概要】
【発明が解決しようとする課題】
【０００３】  これは、次のような欠点があった。
（イ）シリコンゴム製の突起物を布等に取り付けるには、油分が多く含まれているため、    接着や粘着等での取り付けが困難であった。
（ロ）シリコンゴム装着の製品の製造コストが著しく高価になっていた。
（ハ）製品が限られてしまい気軽に自由に活用できなかった。
（ニ）使用者が自分の希望する個所へ自由に利用ができなかった。
（ホ）指圧やマッサージ等で言うツボの位置や、障害、症状等が人により、体型、体調に    よって異なるため、画一的に製品に、シリコンゴム製の突起物を設けても、効果が得    られず充分な機能が発揮されていなかった。
本発明は、以上の欠点を解決するためのものである。
【課題を解決するための手段】
【０００４】  本体（１）の周縁部に、複数の開口部（２）を設ける。
本発明は、以上の構成よりなる取り付けが簡単な突起物である。
【発明の効果】
【０００５】  本発明は、シリコンゴム製突起の周縁部に身に付ける布等ならばどこにでも縫い付けられるように複数の開口部を設けることにより、使用者自身が自分の体のツボ、体型、体調、症状等に合わせて、自分の希望する個所へ自由に取り付けることが容易にできて便利である。
これを利活用することにより、個々に応じた健康と美容の推進、向上が図られるとともに日常生活に活力と快適な日々が享受され大変役に立つ。
また、シリコンゴム製の突起物を布等に取り付けた製品を安価で提供することができる。
そのため、多くの人が気軽に活用でき健康と美容の向上に一層役立てることができる。
その他、種々の場面で利活用することができて大きな効果がある。
【図面の簡単な説明】
【０００６】
【図１】  本発明の平面図である。
【図２】  本発明の側面図である。
【発明を実施するための形態】
【０００７】  以下、本発明の実施の形態について説明する。
本体（１）の表面に突起部を設け、本体（１）の周縁部に、複数の開口部（２）を設ける。
本発明は、以上の構成よりなる取り付けが簡単な突起物である。
本発明を使用するときは、身に付ける布等に自分の体に合わせた希望する個所へ、本体（１）の周縁部に設けた複数の開口部（２）を利用して縫い付けることにより自由に簡単に活用することができ、目的達成のため便利で、さらに有効に活用することができる。
このとき、シリコンゴム製の突起部を設けた本体（１）の裏面が縫い付ける布等の面に密着すると良く、また、本体の略中央の表面側を高く、裏面を平坦に形成するとよい。
【符号の説明】
【０００８】  １  本体
２  開口部
【図１】
2012020100.tif 000003
【図２】
2012020100.tif 000004
(57)【要約】      （修正有）【課題】くも膜下出血の治療法は、従来止血剤の投与と脳圧降下剤の点滴しかなく、患者さんはそのまま放置され脳圧亢進による呼吸中枢の麻痺が主とした原因で死亡していた。【解決手段】くも膜下出血を起こした患者に、全身麻酔とドリルと糸鋸で減圧のための開頭を行う手術方法。【選択図】なし【特許請求の範囲】
【請求項１】
頭蓋内圧を下げるための開頭術
【発明の詳細な説明】
【技術分野】外科
【技術背景】
くも膜下出血の治療法は、従来  止血剤の投与と脳圧降下剤の点滴しかなく、患者さんはそのまま放置され脳圧亢進による呼吸中枢の麻痺が主とした原因で死亡しているのが現状である。
【発明の開示】
そこで  脳圧を下げるために、適当な開頭術を行い、くも膜を破る。術式は専門家でないから具体的には開示できない。脳外科医に任せれば簡単である。全身麻酔と開頭のためのドリルと糸鋸さえ準備すればよい。手術自体は簡単であり、度胸さえあれば医師なら誰でもできる。
【発明が解決しようとする課題】
開頭術により脳圧を下げ、くも膜下出血を起こした患者さんの命を救う事。
【課題を解決するための手段】
上記のとおりである。
【発明の効果】
物理的に考えて、脳圧が下がるのは明白である。よって救命できる画期的な方法である。
【発明を実施するための最良の形態】上記のとおりである。
【実施例】略
【産業上の利用可能性】医学的な発明であり、産業上意味はない。しかし  この方法が実施されれば多くの人命が助かることは明らかである。
(57)【要約】      （修正有）【課題】すだれを折り返したい位置で固定し、しかもその状態を保持させる。【解決手段】Ｓ字型固定板１は、Ｓ字型の上方部の切り込み部１ａにある丸い穴の糸留め部１ｂをすだれの下端部の竹とよしの、中央部の縦の編糸に差し込んでぶら下げることによって取り付ける。【選択図】図１
2012020091.tif 000002
【特許請求の範囲】
【請求項１】
サッシ等で使用しているすだれの下端部の竹とよしの隙間の内側から、すだれの中央部の縦の編糸に、Ｓ字型固定板を水平に差し込み、Ｓ字型固定板の切り込みの丸い穴の部分の糸留めまで通し、すだれの縦の編糸にぶら下げる。この状態でぶら下がっている固定板を持ち上げるとすだれもＳ字型固定板につられ持ち上げることができる。すだれをめくり上げたい位置まで持ち上げて、Ｓ字型固定板をセットした時と同様によしとよしの隙間にＳ字型固定板を差し込んで、Ｓ字型固定板の切り込みの付け根にある丸い穴部分の糸留めに、中央部の縦の編糸に引っ掛ける。Ｓ字型固定板の上側ですだれにぶら下がり、Ｓ字型固定板の下側ですだれを引っ掛けてめくり上げている状態で固定させてその状態を保持させることができる板である。
【請求項２】
本考案のＳ字型固定板を上述とは逆に外側から、すだれの上半分に取り付け、すだれを内側に巻き込んでいき、Ｓ字型固定板が下を向いてぶら下がった状態になったら、Ｓ字型固定板を内側から上に持ち上げ、すだれの上端部の竹とよしの間の中央部の縦の編糸をＳ字型固定板の切り込みの付け根にある丸い穴部分の糸留めに差し込むと、巻き上げて固定することも可能である。
【発明の詳細な説明】
【技術分野】
【０００１】すだれの下端部の竹と、よしとの間の縦の編糸にＳ字型固定板の切り込みの丸い穴の糸留めに引っ掛けてぶらさげることによって、すだれの下半分をめくり上げ、Ｓ字型固定板のもう一方を、すだれの上半分のよしとよしの間の編糸に差し込み同様に引っ掛けて固定することによって、その状態を保持させるための板である。
【背景技術】
【０００２】従来のすだれ用の昇降具は、滑車が付いていて、紐を引くことによってすだれを巻き上げるものが主である。しかし、この昇降具をすだれに取り付ける場合はすだれをサッシ等に取り付ける前、あるいはすでにすだれが取り付けてある場合には一度、すだれを外さなければならない。
【発明の概要】
【発明が解決しようとする課題】
【０００３】従来のすだれ用昇降具は、すだれを下側から巻き上げるものであったが、この昇降具を取り付ける場合にはすだれをサッシ等に取り付ける前に昇降具を付けなければならず、またすでに取り付けてあるすだれの場合には、一度サッシ等から取り外さなければならなかった。しかし、このＳ字型固定板は、すでに取り付けてあるすだれであっても、すだれを取り外す手間がいらず簡単に脱着することができる。
【課題を解決するための手段】
【０００４】本考案のＳ字型固定板は、Ｓ字型の上方部をすだれの下端部の竹とよしの、中央の縦の編糸に引っ掛けてぶら下げる。この状態ですだれの下端部にぶら下がっているＳ字型固定板のＳ字型の一方を持ち上げて、すだれに差し込み引っ掛けることによって、すだれの長さを調節することができる。
【発明の効果】
【０００５】本考案のすだれ用Ｓ字型固定板は、すでに取り付けられたすだれであっても、すだれを外すことなく、簡単かつ手間もかからず容易に取り付けることができる。また、すだれを折り返したい位置で簡単に引っ掛けて、その状態を保持できるものである。このＳ字型固定板は複雑な機構、特殊な装置、器具を要しないため、安価に提供できるものである。
【図面の簡単な説明】
【０００６】
【図１】Ｓ字型固定板本体、および立体断面図
【図２】内側から見た、すだれへの本体の取り付け図
【図３】内側から見た、すだれを折り返す時の使用例
【図４】外側から見た、すだれを巻き上げる時の、本体の取り付け図
【図５】外側から見た、すだれを巻き上げる時の使用例
【図６】すだれを巻き上げた状態
【符号の説明】
【０００７】１    Ｓ字型固定板
１ａ  切込み部
１ｂ  糸留め部
２    すだれ
２ａ  上端部竹部
２ｂ  下端部竹部
２ｃ  よし
２ｄ  編糸
【発明を実施するための形態】
【０００８】本考案のＳ字型固定板はすだれの大きさや重さによって１個又は複数個で使用することも可能で、引き上げた際のすだれのかたよりも解消できる。このＳ字型固定板は非常に軽く、誰でも簡単に取り付けられることを実現した。
【図１】
2012020091.tif 000003
【図２】
2012020091.tif 000004
【図３】
2012020091.tif 000005
【図４】
2012020091.tif 000006
【図５】
2012020091.tif 000007
【図６】
2012020091.tif 000008
(57)【要約】【課題】大きな丸ノコや、小さなルーターなど、さまざまなサイズの工具を取り付けられる広範な調整範囲を有する工具取付板を持った直動ユニットを提供する。【解決手段】工具取付板を２つに分割し、取り付けられる工具の剛性を利用して直動ユニットを構成することを特徴とする。【選択図】図２
2012020567.tif 000002
【特許請求の範囲】
【請求項１】
工具取付板を２つに分割し、取り付ける工具の剛性を利用して、直動ユニットを構成することを特徴とする汎用パネルソーキット。
【発明の詳細な説明】
【技術分野】
【０００１】  この発明は、パネルソーにおいて電動丸ノコやトリマー等の工具の取付方法にに関する。
【背景技術】
【０００２】    従来、二本の平行レール上を直動する丸ノコで構成されるパネルソーにおいて、丸ノコは特定の機種が固定されている。また、スライドソーにおいて、二本の平行レール上を直動するガイドに不特定機種の丸ノコを、長穴によりサイズを合わせて取り付けられるようにしたものはあった。
【先行技術文献】
【特許文献】
【０００３】
【特許文献１】特開２００１−６２８０１号公報
【非特許文献】
【０００４】
【非特許文献１】トリトン社ワークセンター２０００取扱説明書
【発明の概要】
【発明が解決しようとする課題】
【０００５】  しかしながら、以上の技術によれば、大きな丸ノコや、小さなルーターなどは調整範囲を超えて取り付けることができなかった。
そこで、この発明は、さまざまなサイズの工具を取り付けられる直動ユニットを提供することを課題とする。
【課題を解決するための手段】
【０００６】  以上の課題を解決するために、この発明は、工具取付板を完全に２つに分割し、取り付ける丸ノコなどの工具の定盤を強度構成部材として利用することを特徴とする直動ユニットである。
【発明の効果】
【０００７】  この発明によれば、工具取付板を完全に２つに分割したので、大きなものから小さなものまでさまざまなサイズの工具が取り付けられる。
【図面の簡単な説明】
【０００８】
【図１】  この発明の一実施形態を示す斜視図である。
【図２】  この発明の一実施形態に丸ノコを装着した状態を示す斜視図である。
【発明を実施するための形態】
【０００９】  この発明の一実施形態を図１に示す。
一組の工具取付板３それぞれの両端には、ガイドパイプ１を摺動するベアリング２を設ける。
工具取付板３上に押え板５を設ける。
工具取付板３上に位置決めのためのストッパ４を設ける。
この発明は、以上のような構造である。
これを使用するときは、使用する丸ノコ６の定盤の角をストッパ４の内隅に当て、押え板５で固定する。
【００１０】  この発明は前記実施の形態に限定されるものではなく、この発明の要旨を逸脱しない範囲における変更が可能である。例えば、工具取付板の一端のベアリングをガイドパイプと直角方向に摺動可能にし、固定できる構造としたものも可能である。
【００１１】「実施形態の効果」
この実施形態によれば、２つに分かれた工具取付板により、小から大まで、いろいろなサイズの工具をとりつけられる。また、直動ガイドユニット全体の剛性を、使用する工具本体定盤の剛性を利用することにより得ているので軽量化が図れ、可搬性が増し、現場持込の可能性が広がる。
【符号の説明】
【００１２】１  ガイドパイプ
２  ベアリング
３  工具取付板
４  ストッパ
５  押え板
６  丸ノコ
【図１】
2012020567.tif 000003
【図２】
2012020567.tif 000004
(57)【要約】【課題】従来の再剥離性粘着剤付メモ用紙は１枚を取りだす際、片手で押えもう一方の手で取りださなくてはいけないため、片手が塞がっている場合は不便であった。【解決手段】ピーブイシー板を底に取り付け、設置面に強く押し付け空気を抜き出し密着させることにより、片手で安易に再剥離性粘着剤付メモ用紙を取りだすことが出来る。  また、内部下部にバネを入れ、上部にＩ字状の穴を開けることで、再剥離性粘着剤付メモ用紙を１枚１枚取りだすことが出来る。【選択図】図１
2012020565.tif 000002
【特許請求の範囲】
【請求項１】
ピーブイシー板を底に取り付けた再剥離性粘着剤付メモ用紙用ホルダー。
【請求項２】
請求項１の内部下部にバネを入れ、上部にＩ字状の穴を開けることで、再剥離性粘着剤付メモ用紙を１枚１枚取りだすことが出来るホルダー。
【発明の詳細な説明】
【技術分野】
【０００１】  本発明はピーブイシー板を底に取り付けることにより、片手で安易に再剥離性粘着剤付メモ用紙を取りだすことが出来るものである。
【発明の概要】
【発明が解決しようとする課題】
【０００２】  従来の再剥離性粘着剤付メモ用紙は１枚を取りだす際、片手で押えもう一方の手で取りださなくてはいけないため、片手が塞がっている場合は不便であった。
【課題を解決するための手段】
【０００３】  本発明はピーブイシー板を底に取り付け、設置面に強く押し付け空気を抜き出し密着させることにより、片手で安易に再剥離性粘着剤付メモ用紙を取りだすことが出来る。
また、内部下部にバネを入れ、上部にＩ字状の穴を開けることで、再剥離性粘着剤付メモ用紙を１枚１枚取りだすことが出来る。
【図面の簡単な説明】
【０００４】
【図１】  ピーブイシー底メモホルダーの立体図
【図２】  ピーブイシー底メモホルダーの分解図
【図３】  ピーブイシー底メモホルダーの平面図
【図４】  ピーブイシー底メモホルダーの使用図
【発明を実施するための形態】
【実施例】
【０００５】  以下、本発明を実施するための形態を図１〜図４に基づいて説明する。【０００６】  図１はピーブイシー底メモホルダーの立体図で、１はメモを収納するホルダー、２はピーブイシー板、３は再剥離性粘着剤付メモ用紙である。【０００７】  図２はピーブイシー底メモホルダーの分解図で、１のメモを収納するホルダーの中には、３の再剥離性粘着剤付メモ用紙、５のバネ、４と６のバネを支える紙、７の厚紙を収納している。
５のバネを収納することで、最後までメモが取りだしやすくした。【０００８】  また、２のピーブイシー板は８の粘着シートで１のメモを収納するホルダーと貼付してある。【０００９】  図３平面図上部にＩ字状の穴を開けることで、３の再剥離性粘着剤付メモ用紙を１枚１枚取りだすことが安易に出来るようにした。【００１０】  図４はピーブイシー底メモホルダーの使用図で、図３の平面図のＩ字状の穴から３のメモ用紙を取りだして使用する。
２のピーブイシー板を設置面に強く押し付けることで、１のメモを収納するホルダーが設置面に固定され、メモ用紙を片手で安易に取りだすことが出来るようにした。
【図１】
2012020565.tif 000003
【図２】
2012020565.tif 000004
【図３】
2012020565.tif 000005
【図４】
2012020565.tif 000006